(57)【要約】      （修正有）【課題】消火器が収納されているか否や扉が閉鎖されているかの確認を簡単かつ容易にできるようにする。【解決手段】消火栓回路１１は、消火器検出スイッチ５６−１，５６−２による消火器の検出時に赤色表示灯２６を点灯し、消火器の非検出時に赤色表示灯２６を消灯する。発信機釦の押込み操作でオンする発信機スイッチ２８−３を表示灯回路の消火器検出スイッチ５６−１，５６−２と並列に接続し、消火器検出スイッチ５６−１，５６−２のオフ状態での発信機釦の押込みによる発信機スイッチ２８−３のオンにより赤色表示灯２６を確認点灯させる。【選択図】図４
2010162257.tif 000002
【特許請求の範囲】
【請求項１】
消火器扉を備えた筐体内に消火器を収納した消火器収納部と、
設置場所を表示する赤色表示灯と、
を備えた消火器装置に於いて、
前記消火器を検出する消火器検出部と、
前記消火器検出部により消火器の検出時に前記赤色表示灯を点灯し、消火器の非検出時に前記赤色表示灯を消灯する表示灯回路と、
を設けたことを特徴とする消火器装置。
【請求項２】
請求項１記載の消火器装置に於いて、更に
前記消火器扉の開閉を検出する消火器扉開閉検出部と、を備え、前記表示灯回路は、前記消火器検出部による消火器の検出及び前記消火器扉開閉部による消火栓扉の閉検出を共に判定した際に前記赤色表示灯を点灯し、少なくともいずれか１つの非検出を判定した際に前記赤色表示灯を消灯することを特徴とする消火器装置。
【請求項３】
請求項１記載の消火器装置に於いて、更に
ノズル付ホースを格納する消火栓扉の開閉を検出する第１扉開閉検出部と、
前記消火器扉の開閉を検出する第２扉開閉検出部と、を備え、前記表示灯回路は、前記消火器検出部による消火器の検出、前記第１扉開閉部による消火栓扉の閉検出及び前記第２扉開閉検出部による前記消火器扉の閉検出の全てを判定した際に前記赤色表示灯を点灯し、少なくともいずれか１つの非検出を判定した際に前記赤色表示灯を消灯することを特徴とする消火器装置。
【請求項４】
請求項１乃至３記載の消火器装置に於いて、前記消火器検出器は前記消火器の収納により押されてオンするリミットスイッチ、又は前記消火器を載せることによりオンする感圧スイッチであることを特徴とする消火器装置。
【請求項５】
請求項１乃至４記載の消火器装置に於いて、更に
確認釦の操作で前記赤色表示灯を確認点灯させる確認スイッチを設けたことを特徴とする消火器装置。
【請求項６】
請求項１乃至４記載の消火器装置に於いて、前記検出部の検出状態を監視盤に送信することを特徴とする消火器装置。
【発明の詳細な説明】
【技術分野】
【０００１】
本発明は、トンネルなどに設置され、火災時に装置内部に収納された消火器を取り出して消火活動を行う消火器装置に関する。
【背景技術】
【０００２】
従来、高速道路や自動車専用道路などの設置される消火器装置は、例えば図７に示す消火器とノズル付きホースを備える消火栓装置が知られている。図７において、消火栓装置１００は、筐体１０２に開放自在に設けた消火栓扉１０４の内側の消火栓収納部にノズル付きホースとバルブ類を収納し、更に、開閉自在な消火器扉１０６を備えた筐体１０２内の消火器収納部に例えば２本の消火器を収納している。
【０００３】
消火器扉１０６の右側には通報装置扉１０８が設けられ、ここに赤色表示灯１１０、発信機１１２、及び応答ランプ１１４を設けている。赤色表示灯１１０は常時点灯し、消火栓装置１００の設置場所が遠方から分かるようにしている。火災時には、発信機１１２を押してスイッチボタンをオンすると、発信信号が監視室の火災受信機に送信されて火災警報が出され、これに伴い応答信号が火災受信機から送られて、応答ランプ１１４を点灯するようにしている。
【０００４】
このような消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。また、消火栓扉の横に配置されている消火器扉を開き、中に収納されている消火器を取り出して消火薬剤を放出することができる。
【０００５】
また、トンネル内の消火器装置としては、消火ホースを収容せず消火器のみが装置内に収納される装置もある。
【先行技術文献】
【特許文献】
【０００６】
【特許文献１】特開２００５−３１８９７２号公報
【発明の概要】
【発明が解決しようとする課題】
【０００７】
しかしながら、このような従来の消火器装置にあっては、例えばトンネル施工が完了した段階で、５０メートル間隔で設置されている消火栓装置に正しく消火器が収納されていることを確認する作業を行っており、従来は、担当者が一台ずつ消火器扉を開けて、消火器が収納されていることを確認する作業を行っており、数キロを越えるような長いトンネルの場合には、消火器の確認に手間と時間がかかるという問題がある。
【０００８】
また、消火器が収納されていることの確認は、トンネル竣工後の運用段階でも、例えば，年１回というように定期点検の際に確認することが望ましいが、一台ずつ扉を開けて確認する作業が大変であり、その改善が望まれる。
【０００９】
また、長期間設置して使用している間に、何らかの原因により、消火栓扉や消火器扉が完全に閉鎖状態とならずにラッチが解除された半開き状態のまま放置されることも予想され、完全に閉じているか否かは、人手によって一台一台確認するしか方法がなく、確認する作業が大変であり、その改善が望まれる。
【００１０】
本発明は、消火器が収納されているか否かや扉が閉鎖されているかの確認を簡単かつ容易にできるようにする消火器装置を提供することを目的とする。
【課題を解決するための手段】
【００１１】
本発明は、
消火器扉を備えた筐体内に消火器を収納した消火器収納部と、
設置場所を表示する赤色表示灯と、
を備えた消火器装置に於いて、
消火器を検出する消火器検出部と、
消火器検出部による消火器の検出時に赤色表示灯を点灯し、消火器の非検出時に赤色表示灯を消灯する表示灯回路と、
を設けたことを特徴とする。
【００１２】
本発明の消火器装置は、更に
消火器扉の開閉を検出する消火器扉開閉検出部と、
を備え、表示灯回路は、消火器検出部による消火器の検出及び消火器扉開閉部による消火栓扉の閉検出を共に判定した際に前記赤色表示灯を点灯し、少なくともいずれか１つの非検出を判定した際に前記赤色表示灯を消灯する。
【００１３】
本発明の消火器装置は、更に
消火栓扉の開閉を検出する第１扉開閉検出部と、
消火器扉の開閉を検出する第２扉開閉検出部と、
を備え、表示灯回路は、消火器検出部による消火器の検出、第１扉開閉部による消火栓扉の閉検出及び第２扉開閉検出部による消火器扉の閉検出の全てを判定した際に赤色表示灯を点灯し、少なくともいずれか１つの非検出を判定した際に赤色表示灯を消灯する。
【００１４】
消火器検出器は消火器の収納により押されてオンするリミットスイッチ、又は消火器を載せることによりオンする感圧スイッチであることを特徴とする消火器装置。
【００１５】
更に、確認釦の操作で前記赤色表示灯を確認点灯させる確認スイッチを設けた。
【００１６】
検出部の検出状態を監視盤に送信して監視盤にて消火器装置の状態を表示することもできる。
【発明の効果】
【００１７】
本発明によれば、消火器が収納されていない場合には、装置の設置場所を示す赤色表示灯が消灯して外部から容易に消火器の設置状態を把握することができる。また例えば点検車両からトンネル壁面に設置した装置の赤色表示灯の点灯を確認しながら走行する場合、消火器装置を通過する際に赤色表示灯が点灯しているか否かの判断を瞬時に行うことができ、５０メートル間隔で消火器装置を設置した長いトンネルであっても、短時間で赤色表示灯の点灯の有無により消火器の有無を確認することができる。
【００１８】
また、消火器以外に消火栓扉、消火器扉や消火栓弁開閉レバーが開いていた場合にも赤色表示灯が消灯し、同様に、点検車両からトンネル壁面に設置したトンネル消火栓装置の赤色表示灯の点灯を確認しながら走行することによって、短時間で赤色表示灯の点灯の有無により消火器の有無、消火栓扉や消火器扉の開閉の有無を容易に確認することができる。
【００１９】
また、赤色表示灯の消灯を確認した際に、確認押し釦を押込み操作してスイッチオンさせることで、断線していなければ赤色表示灯が点灯し、赤色表示灯の断線ではなく、消火器非検出や扉開放による赤色表示灯の消灯であることを簡単に区別することができる。
【図面の簡単な説明】
【００２０】
【図１】本発明による消火栓装置の実施形態を正面から示した説明図
【図２】図１について扉側を外して本体内部構造を示した正面図
【図３】図１について内部構造を示した平面図
【図４】図１のトンネル消火栓装置に設けた消火栓回路の実施形態を示した回路図
【図５】本発明による消火栓装置の他の実施形態を正面から示した説明図
【図６】図５のトンネル消火栓装置に設けた消火栓回路の他の実施形態を示した回路図
【図７】従来のトンネル消火栓装置を示した正面図
【発明を実施するための形態】
【００２１】
図１は本発明による消火器装置を備える消火栓装置の実施形態を示した正面図である。図１において、消火栓装置１０は、消火栓側の第１筐体１２−１と消火器側の第２筐体１２−２に分割した構造であり、前面に化粧板１４−１，１４−２を装着しており、第１筐体１２−１と第２筐体１２−２に対し必要な機器及び部材を組付けた後に連結固定部１５で固定した状態としている。
【００２２】
化粧板１４−１，１４−２には扉開口部１６，１７が設けられている。第１筐体１２−１の扉開口部１６には、消火栓扉１８と保守扉２２が設けられており、その内部がホース収納空間及びバルブ類収納空間を備えた消火栓収納部となっている。
【００２３】
消火栓扉１８は下側のヒンジ２１を中心に前方に開閉することができ、通常時は図示の閉鎖位置に閉じており、ハンドル２０に手を入れて手前に引くとロックが外れ、開くことができる。
【００２４】
消火栓扉１８の上には、ヒンジ２３により上向に開閉する保守扉２２が設けられており、点検時に消火栓扉１８を開いて内側のロックを外すことで開くことができる。また、第１筐体１２−１の上部両側には装置を吊り下げるための吊り輪２５が取り付けられている。
【００２５】
第２筐体１２−２の扉開口部１７の右側には通報装置扉２４が設けられ、ここに赤色表示灯２６、発信機２８、及び応答ランプ３０を設け、後の説明で明らかにする消火栓回路を構成している。なお、通報装置扉２４の内側には図２に示すように電話ジャック３１を設けている。
【００２６】
赤色表示灯２６は常時点灯し、消火栓装置１０の設置場所が遠方から分かるようにしている。火災時には、発信機２８を押してスイッチボタンをオンすると、発信信号が監視室の火災受信機に送信されて火災警報が出され、これに伴い応答信号が火災受信機から送られて、応答ランプ３０を点灯するようにしている。
【００２７】
扉開口部１７の左側には消火器扉３２が設けられ、消火器扉３２に対応した筐体１２の内部を消火器収納空間とし、例えば２本の消火器を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００２８】
図２は図１の実施形態について第１筐体１２−１側の消火栓扉を外し、保守扉２２は上向きに開いてステー２７で支持した状態で内部構造を示した正面図である。図２において、第１筐体１２−１の左側にはホース収納空間３６が形成され、右側にバルブ類収納空間３８を形成している。
【００２９】
ホース収納空間３６には、フレームパイプを屈曲して水平方向で上下に配置したフレーム部分を持つバケットフレーム４０が配置され、内部にホース収納空間３６を形成している。バケットフレーム４０の中央から右側にオフセットした位置、即ち扉開口部１６の左右方向における略中央となる位置に、縦方向に２本のホースガイド４２が位置してホース取出口４５を仕切り形成している。
【００３０】
ホース取出口４５を仕切り形成するホースガイド４２は、ホース４４を引き出す際に内巻きしているホース４４が崩れたり、扉開口部１６に擦れてホース４４が損傷したり折れたりすることを防ぐ。
【００３１】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００３２】
即ち、ホース接続口４６に接続したホース４４は、まず第１筐体１２−１の下側内壁に沿うようにホース収納部３６方向に向かい、ホース収納空間３６の下側から巻き込まれ、その後に、右回りに収納空間内に巻き込まれ、最後にノズル４８を装着したホース先端をバケットフレーム４０中央から右側にオフセットして扉開口部１６の中央付近に取り付けられたホースガイド４２で形成されたホース取出口４５から取り出し、右側のホースガイド４２に固定しているノズルホルダー５０にノズル４８を着脱自在に装着している。
【００３３】
第１筐体１２−１に設けたホース収納空間３６の右側に配置したバルブ類収納空間３８には、ポンプ起動押釦スイッチ６４が上部に設けられ、さらにポンプ設備からの配管が接続される消火栓接続口からホース接続口４６に至る配管系統に、給水弁、消火栓弁、自動調圧弁、自動排水弁、及びメンテナンス装置を設けている。このうち消火栓弁に設けた消火栓弁開閉レバー５２に対応して銘板５３が設けられており、銘板５３の裏側に消火栓弁、自動調圧弁、自動排水弁が配置されている。
【００３４】
図３は、図１について内部構造を示した平面図である。図３において、第１筐体１２−１と第２筐体１２−２は連結固定部１５においてボルトにより固定されている。第１筐体１２−１のホース収納空間３６には平面から見て横Ｌ字形にバケットフレーム４０が配置され、筐体内壁との間に形成したホース収納空間３６にホース４４を右巻きにより内巻き状態で収納している。また、消火器収納空間３９には２本の消火器３７が収納されている。
【００３５】
消火器収納空間３９には平面的に見て山形の消火器ホルダ５４が背面側に配置されており、消火器ホルダー５４のホルダー面には消火器検出部として機能する消火器検出スイッチ５６−１，５６−２が配置されている。消火器検出スイッチ５６−１，５６−２は例えばリミットスイッチであり、消火器３７が収納されていない状態でオフしており、図示のように、消火器３７を収納すると、スイッチレバーを押込むことで消火器検出スイッチ５６−１，５６−２がオンする。
【００３６】
なお、消火器検出部としては消火器収納空間３９の底面側の消火器３７を載せる位置に感圧スイッチを設けるようにしても良い。
【００３７】
図４は図１の消火栓装置に設けた消火栓回路の実施形態を示した回路図である。図４において、発信機２８のスイッチボタンの押込み操作でオンする３回路の発信機スイッチ２８−１〜２８−３が設けられる。
【００３８】
発信機２８のスイッチボタンの押込みによる発信機スイッチ２８−２のオンで信号線７３とコモン線７２間に電流を流して発信信号を監視室の火災受信機に伝送して火災警報を出力させ、火災受信機側の動作で信号線７１とコモン線７０間に電源を供給し、発信機スイッチ２８−１がオンしていることで、応答ランプ３０を点灯させる。
【００３９】
また信号線７３，７４とコモン線７２の間にはポンプ起動押釦スイッチ６４とポンプ起動スイッチ６２が並列接続される。ポンプ起動押釦スイッチ６４はポンプ起動釦の押込み操作によりオンし、信号線７４に電流を流してポンプ制御盤に対しポンプ起動信号を出力し、消火ポンプの運転を開始させる。
【００４０】
また、ポンプ起動スイッチ６２は図２に示した消火栓弁開閉レバー５２を開位置に操作したときにオンし、信号線７４に電流を流してポンプ制御盤に対しポンプ起動信号を出力し、消火ポンプの運転を開始させる。
【００４１】
赤色表示灯２６は信号線７６とコモン線７５の間に接続され、本実施形態にあっては、赤色表示灯２６と直列に消火器検出スイッチ５６−１，５６−２を直列接続している。図３に示したように、消火器収納空間３９に正常に２本の消火器３７を収納している場合には、消火器検出スイッチ５６−１，５６−２は共にオンしており、このため赤色表示灯２６は点灯している。
【００４２】
一方、消火器収納空間３９に消火器３７を収納していない場合には、消火栓検出スイッチ５６−１，５６−２のいずれかもしくは共にオフとなり、赤色表示灯２６は消灯することになる。
【００４３】
更に、消火器検出スイッチ５６−１，５６−２と並列には発信機スイッチ２８−３が並列接続され、例えば消火器検出スイッチ５６−１，５６−２がオフしている状態で発信機釦２８のスイッチボタンを押込み操作すると、発信機スイッチ２８−３がオンすることで赤色表示灯２６が点灯し、その玉切れの有無を確認できるようにしている。
【００４４】
ここで、応答ランプ３０、発信機スイッチ２８−１，２８−２、ポンプ起動押釦スイッチ６４、ポンプ起動スイッチ６２、赤色表示灯２６を含む回路部は図７の従来装置と同じであるが、本実施形態にあっては、これに新たに発信機スイッチ２８−３と消火器検出スイッチ５６−１，５６−２を設けている。
【００４５】
消火栓装置１０に消火器が正しく収納されているか否かの点検は、例えばトンネル内の法定最高速度である時速８０ｋｍ以下の例えば時速７０ｋｍで走行しながら点検印が赤色表示灯の点灯の有無を目視で点検する。
【００４６】
点検車両８０を時速７０ｋｍで走行しながら赤色表示灯２６の点灯の有無を点検する場合、５０ｍ間隔に設置されている消火栓装置１０の通過時間は約２．６秒程度であり、消火器が収納されている場合には、赤色表示灯の点灯の有無を確認していると、約２．６秒間隔で赤色表示灯２６の点灯を見ることができ、もし赤色表示灯２６が消灯していた場合には消火器が収納されていないことが確実に分かる。
【００４７】
また、消火栓装置の赤色表示灯の点灯の有無の確認は、点検車両に点検員が同乗して目視により確認してもよいが、正確を期すためには、点検車両に受光装置を搭載して自動的に消火栓装置１０の赤色表示灯からの光の有無を検出してメモリや記録紙に記録し、この記録データから消火器が収納されていない消火栓装置とその位置を検出するようにしても良い。
【００４８】
一方、消火栓装置１０に設けた赤色表示灯２６の消灯の原因は、消火器検出スイッチ５６−１，５６−２がオフした以外に、赤色表示灯２６の玉切れがある。このような赤色表示灯２６の玉切れについては、トンネル消火栓装置１０に設けている発信機２８のスイッチボタンを押すことにより図４の発信機スイッチ２８−３をオンし、このとき赤色表示灯２６が点灯しなければ玉切れであることが分かり、赤色表示灯２６の電球を交換すれば良い。また、赤色表示灯２６が点灯すれば、玉切れではなく、消火器扉３２を開いて中を確認することなく、消火器が無いことによる消灯と判断できる。
【００４９】
発信機２８のスイッチボタンを押して確認する以外に、消火器検出スイッチ５６−１、５６−２を操作することで玉切れの確認を行うようにしても良い。発信機スイッチ２８−３の代わりに玉切れ確認専用の確認スイッチを設けて確認できるようにしても良い。
【００５０】
また、消火器が収納されているにも関らず赤色表示灯２６が消灯している場合は、図３に示したように、消火器３７が消火器ホルダー５４に対し正しい位置に収納されずにずれている場合であり、消火器検出スイッチ５６−１，５６−２がオンして赤色表示灯２６が点灯するように、消火器３７を正しい収納位置に置きなおせば良い。
【００５１】
図５は本発明による消火栓装置の他の実施形態を正面から示した説明図であり、図６に
図５の消火栓装置に設けた消火栓回路の他の実施形態を示す。
【００５２】
図５の消火栓装置１０は図１と同じであるが、更に、消火栓扉１８の右側に第１扉検出スイッチとしての消火栓扉検出スイッチ６８を設けると共に、第２扉検出スイッチとしての消火器扉３２に対し消火器扉検出スイッチ６６を設けたことを特徴とする。
【００５３】
図６の消火栓回路１１は、基本的に図４の実施形態と同じであるが、更に、赤色表示灯２６と直列接続した消火器検出スイッチ５６−１，５６−２と直列に、消火器扉開閉検出スイッチ６６と消火栓扉開閉検出スイッチ６８を直列接続している。
【００５４】
また消火器検出スイッチ５６−１，５６−２、消火器扉開放検出スイッチ６６及び消火栓扉開放検出スイッチ６８の直列回路と並列に、赤色表示灯２６の玉切れの有無を確認する発信機スイッチ２８−３を並列接続している。
【００５５】
このような図５及び図６の実施形態によれば、消火器が収納されていないか、消火栓扉１２が半開きか、消火器扉３６が半開きかの少なくともいずれか１つが起きると、対応するスイッチがオフして赤色表示灯２６を消灯し、トンネル内を点検車両で走行しながら点検員が目視で見ることで簡単且つ確実に確認し、トンネル消火栓装置１０の不具合を知って適切な対応をとることができる。
【００５６】
なお、上記の実施形態にあっては、トンネル消火栓装置側の赤色表示灯の点灯の有無によって消火器収納の有無を確認できるようにしているが、例えば図４の消火器検出スイッチ５６−１，５６−２を２回路のスイッチとし、消火器検出スイッチを別の信号線に挿入接続し、消火器の有無を示す信号を監視室の火災受信機に送信して表示させても良い。この点は図６の実施形態についても同様である。また、監視室に状態を送信する場合は、消火器、消火器扉、消火栓扉のどの機器の状態が異常なのかを送信して詳細な表示を行うようにしても良い。
【００５７】
また、上記の実施形態にあっては、筐体を消火栓側と消火器側とに分割した場合を例にとっているが、一体型の筐体構造についても、同様に上記の実施形態のホース取出口を扉開口部の略中央に配置したホースバケット構造を適用することができる。
【００５８】
また、本発明は、消火ホースを収納せず、消火器のみを収納する消火器装置（消火器ボックス）にも適用できる。この場合は、消火器ボックスの扉開放状態を監視して、消火器の状態と扉の開放状態を表示するようにしても良い。
【００５９】
また、上記の実施形態は消火器収納状態を外部から見ることができるように覗き窓３５を設けているが、覗き窓のない図７の従来装置と同じ構造の消火栓装置についても、そのまま適用することができる。
【００６０】
また本発明は、その目的と利点を損なうことのない適宜の変形を含み、更に上記の実施形態に示した数値による限定は受けない。
【符号の説明】
【００６１】
１０：消火栓装置
１１：消火栓回路
１２−１：第１筐体
１２−２：第２筐体
１４−１，１４−２：化粧板
１８：消火栓扉
２４：通報装置扉
２６：赤色表示灯
２８：発信機
２８−１〜２８−２：発信機スイッチ
３０：応答ランプ
３２：消火器扉
３６：ホース収納空間
３７：消火器
３８：バルブ類収納空間
３９：消火器収納空間
４４：ホース
５４：消火器ホルダー
５６−１，５６−２：消火器検出スイッチ
６２：ポンプ起動スイッチ
６４：ポンプ起動押釦スイッチ
６６：消火器扉開閉検出スイッチ
６８：消火栓扉開閉検出スイッチ
【図１】
2010162257.tif 000003
【図２】
2010162257.tif 000004
【図３】
2010162257.tif 000005
【図４】
2010162257.tif 000006
【図５】
2010162257.tif 000007
【図６】
2010162257.tif 000008
【図７】
2010162257.tif 000009